(57)【要約】【課題】冷媒が酸化や分解を起こすことを抑制する。【解決手段】冷凍サイクル装置は、炭素原子間の結合として単結合以外の炭素間結合を持つ冷媒、炭素の１０倍を超える原子量のハロゲン族元素と炭素との単結合を持つ冷媒、エーテル結合を持つ冷媒、のうち、少なくとも一つを含む低ＧＷＰ冷媒を２０重量％以上含む混合冷媒が充填された冷媒回路と、冷媒回路に接続され、内部に潤滑油が貯留された圧縮機と、冷媒回路に接続された室外機及び室内機と、冷媒回路において室外機と室内機とを接続する接続配管に設けられた閉鎖弁と、冷媒回路における圧縮機と閉鎖弁との間に配置され、混合冷媒中から水分または酸素の少なくとも一方を除去する除去部と、を備える。【選択図】図２
2020051630.tif 000002
【特許請求の範囲】
【請求項１】
炭素原子間の結合として単結合以外の炭素間結合を持つ冷媒、炭素の１０倍を超える原子量のハロゲン族元素と炭素との単結合を持つ冷媒、エーテル結合を持つ冷媒、のうち、少なくとも一つを含む低ＧＷＰ冷媒を２０重量％以上含む混合冷媒が充填された冷媒回路と、
前記冷媒回路に接続され、内部に潤滑油が貯留された圧縮機と、
前記冷媒回路に接続された室外機及び室内機と、
前記冷媒回路において前記室外機と前記室内機とを接続する接続配管に設けられた閉鎖弁と、
前記冷媒回路における前記圧縮機と前記閉鎖弁との間に配置され、
前記混合冷媒中から水分または酸素の少なくとも一方を除去する除去部と、
を備える冷凍サイクル装置。
【請求項２】
前記除去部は、脱酸素剤及び乾燥剤の少なくとも一方を含む除去剤を有し、
前記除去剤の体積は、前記冷媒回路の管内容積に応じて定められている、
請求項１に記載の冷凍サイクル装置。
【請求項３】
前記冷媒回路は、前記除去部が設けられた配管に、前記除去部を迂回して前記混合冷媒を流すバイパス配管が設けられている、
請求項１または２に記載の冷凍サイクル装置。
【請求項４】
前記配管に設けられ、冷媒の流れを前記除去部へ向かう流れと前記バイパス配管へ向かう流れとに切り換える流路切換部材と、
前記流路切換部材の切換動作を制御する制御部と、を更に備え、
前記制御部は、前記圧縮機の運転開始時に前記除去部へ前記混合冷媒を流し、前記除去部へ前記混合冷媒を所定時間流した後に前記混合冷媒が前記バイパス配管へ流れるように前記流路切換部材を制御する、
請求項３に記載の冷凍サイクル装置。
【発明の詳細な説明】
【技術分野】
【０００１】
本発明は、冷凍サイクル装置に関する。
【背景技術】
【０００２】
例えば、空気調和機、冷蔵機器、給湯器等の冷凍サイクル装置には、冷媒が循環する冷媒回路に、圧縮機及びアキュムレータが接続されたものがある。このような冷凍サイクル装置で使用する冷媒は、ＧＷＰ（Global  Warming  Potential:地球温暖化係数）がより一層低い冷媒へ切り替えられている。
【先行技術文献】
【特許文献】
【０００３】
【特許文献１】特開２０１７−２０７２５１号公報
【発明の概要】
【発明が解決しようとする課題】
【０００４】
ＧＷＰが低い冷媒としては、従来の冷媒と比べて分子間結合が弱い冷媒の利用が検討されている。このような冷媒は、大気中で分解し易く、温暖化への影響も小さくなるので、環境への負荷を低減する観点において望ましい。しかしながら、分子間結合が弱い冷媒の一例として、単結合以外の炭素間結合を持つ冷媒は、高温環境下での安定性が低く、高温環境下で分解されたときや、冷媒回路に残留する水分や酸素と反応することで酸化や分解を起こしたときに、冷媒から酸が発生するおそれがある。冷凍サイクル装置内で酸が発生した場合には、その酸によって冷媒の分解が促進され、また金属部品が腐食するなどにより、冷凍サイクル装置の損傷を招くおそれがある。この対策としては、冷媒中の水分を除去する乾燥剤をアキュムレータ内に配置するものが知られている（特許文献１）。
【０００５】
開示の技術は、上記に鑑みてなされたものであって、冷媒が酸化、分解を起こすことを抑制できる冷凍サイクル装置を提供することを目的とする。
【課題を解決するための手段】
【０００６】
本願の開示する冷凍サイクル装置の一態様は、炭素原子間の結合として単結合以外の炭素間結合を持つ冷媒、炭素の１０倍を超える原子量のハロゲン族元素と炭素との単結合を持つ冷媒、エーテル結合を持つ冷媒、のうち、少なくとも一つを含む低ＧＷＰ冷媒を２０重量％以上含む混合冷媒が充填された冷媒回路と、前記冷媒回路に接続され、内部に潤滑油が貯留された圧縮機と、前記冷媒回路に接続された室外機及び室内機と、前記冷媒回路において前記室外機と前記室内機とを接続する接続配管に設けられた閉鎖弁と、前記冷媒回路における前記圧縮機と前記閉鎖弁との間に配置され、前記混合冷媒中から水分または酸素の少なくとも一方を除去する除去部と、を備える。
【発明の効果】
【０００７】
本願の開示する冷凍サイクル装置の一態様によれば、冷媒が酸化や分解を起こすことを抑制できる。
【図面の簡単な説明】
【０００８】
【図１】図１は、実施例の冷凍サイクル装置全体を示す模式図である。
【図２】図２は、変形例の冷凍サイクル装置全体を示す模式図である。
【発明を実施するための形態】
【０００９】
以下に、本願の開示する冷凍サイクル装置の実施例を図面に基づいて詳細に説明する。なお、以下の実施例によって、本願の開示する冷凍サイクル装置が限定されるものではない。
【実施例】
【００１０】
実施例の冷凍サイクル装置としては、空気調和装置を一例として、１台の室外機に１台の室内機が接続され、室内機が冷房運転または暖房運転を行うことが可能に構成されたものを説明する。図１は、実施例の冷凍サイクル装置全体を示す模式図である。
【００１１】
［冷媒］
まず、実施例の冷凍サイクル装置１で使用される冷媒について説明する。実施例の冷凍サイクル装置１は、「炭素原子間の結合として、単結合以外の炭素間結合を持つ冷媒」、「炭素の１０倍を超える原子量のハロゲン族元素と炭素との単結合を持つ冷媒」、「エーテル結合を持つ冷媒」のうち、少なくとも一つを含む低ＧＷＰ冷媒を２０重量％以上含む混合冷媒を作動流体として用いる。炭素原子間に単結合以外の炭素間結合を持つ冷媒は、例えば、炭素原子間の二重結合を有するＨＦＯ冷媒や、炭素原子間の三重結合を有するトリフルオロプロピンがある。また、炭素の１０倍を超える原子量のハロゲン族元素と炭素との単結合を持つ冷媒としては、トリフルオロヨードメタンがあり、エーテル結合（ＨＦＥ冷媒とも言う）を持つ冷媒としてはＨＦＥ−１４３ｍ等が挙げられる。これらの冷媒は、冷凍サイクル装置の中での安定性が低い。また、これらの冷媒は、大気中での安定性も低く、ＧＷＰが比較的低い傾向がある。その代わり、当該冷媒は、圧力が比較的低い。圧力の低い冷媒は、冷凍サイクル装置の作動流体として用いると、冷媒性能の指標の一つである体積能力（単位はｋＪ／ｍ３）が低くなる。そのため、冷凍サイクル装置の作動流体として用いる場合は、他の冷媒性能の高い冷媒（例えば、Ｒ３２）と混合して用いることが考えられている。本実施例では、炭素原子間に単結合以外の炭素間結合を持つ冷媒の「ＧＷＰが低い」という、環境負荷が小さいという特性を十分に発揮するため、炭素原子間の結合として単結合以外の炭素間結合を持つ冷媒を少なくとも２０重量％以上含む混合冷媒を作動流体として用いる。
【００１２】
炭素原子間の結合として、単結合を持つ冷媒のうち、冷凍サイクル装置で使用された実績があり、不燃性、低毒性、かつ、オゾン層破壊係数（ＯＤＰ）＝０の冷媒でＧＷＰが一番低い単一冷媒はＲ１３４ａ（ＧＷＰ：１４３０）である。本実施例の「低ＧＷＰ冷媒」はＲ１３４ａよりもＧＷＰが低いものとする。
ハロゲン族元素と炭素との単結合を持つ冷媒は、塩素（原子量：３５．５）と炭素との結合を有するＲ１２を代表としたクロロフルオロカーボン、臭素（原子量：７９．９）と炭素との結合を持つハロン１３０１、ヨウ素（原子量：１２６．９）と炭素との結合を持つトリフルオロヨードメタン（ＣＦ３Ｉ）がある。
塩素を含むＲ１２は、ＧＷＰが１０９００である。臭素を含むハロン１３０１は、ＧＷＰが７１４０である。ヨウ素を含むトリフルオロヨードメタンは、ＧＷＰが１以下である。このことからわかるように、ハロゲン族元素と炭素との単結合を持つ冷媒は、ハロゲン族元素の原子量が大きい程、ＧＷＰが低い。なお、上記した各冷媒のＧＷＰは、「フロン類の使用の合理化及び管理の適正化に関する法律施行規則第一条第三項及びフロン類算定漏えい量等の報告等に関する命令第二条第三号の規定に基づき、国際標準化機構の規格八一七等に基づき、環境大臣及び経済産業大臣が定める種類並びにフロン類の種類ごとに地球の温暖化をもたらす程度の二酸化炭素に係る当該程度に対する比を示す数値として国際的に認められた知見に基づき環境大臣及び経済産業大臣が定める係数（フロン類ＧＷＰ告示）（平成28年経済産業省・環境省告示第２号）」において定められたものである。トリフルオロヨードメタンのＧＷＰは、国立研究開発法人新エネルギー・産業技術総合開発機構、略称：NEDO（New  Energy  and  Industrial  Technology  Development  Organization）［平成30年8月10日検索］のインターネットサイト＜URL:http://www.nedo.go.jp/hyoukabu/articles/201207f_tech/index.html＞において定められたものである。
【００１３】
ハロゲン族元素の原子量と、当該ハロゲン族元素を含む代表的な冷媒のＧＷＰの関係は、以下の式で示すことができる。
（原子量）＝−４．０×１０−８×（ＧＷＰ）２−３．０×１０−４×（ＧＷＰ）＋１０．５８
上記式から、ＧＷＰをＲ１３４ａ（ＧＷＰ：１４３０）よりも低くするためには、炭素（原子量：１２）の１０倍を超える原子量のハロゲン族元素と炭素との単結合を持つ冷媒であることが必要だとわかる。
説明の便宜上、以下の説明において単に冷媒と称した場合には、上述した混合冷媒を指す。
【００１４】
［冷凍サイクル装置の構成］
図１に示すように、実施例の冷凍サイクル装置１は、室外機２と、室外機２に接続配管としての液管８及びガス管９を介して接続された室内機５と、を備えている。液管８は、一端が室外機２の閉鎖弁２５に接続され、他端が分岐して室内機５の各液管接続部５３にそれぞれ接続されている。ガス管９は、一端が室外機２の閉鎖弁２６に接続され、他端が分岐して室内機５の各ガス管接続部５４にそれぞれ接続されている。以上により、冷凍サイクル装置１が有する冷媒回路１００が構成されている。
【００１５】
まずは、室外機２について説明する。室外機２は、圧縮機２１と、四方弁２２と、室外熱交換器２３と、室外膨張弁２４と、液管８の一端が接続された閉鎖弁２５と、ガス管９の一端が接続された閉鎖弁２６と、冷媒貯留器であるアキュムレータ２８と、室外ファン２７と、を備えている。室外ファン２７を除くこれら各部は、後述する各冷媒配管を介して相互に接続されており、冷媒回路１００の一部をなす室外機冷媒回路２０を構成している。
【００１６】
圧縮機２１は、インバータにより回転数が制御されるモータ（図示せず）によって駆動されることで、運転容量を可変できる能力可変型の圧縮機である。圧縮機２１の冷媒吐出側は、圧縮機２１から吐出された冷媒中から冷凍機油１０を分離する油分離器３７と吐出管４１ａを介して接続されている。また、油分離器３７は、後述する四方弁２２のポートａと冷媒配管４１ｂを介して接続されており、冷凍機油１０から分離された冷媒が四方弁２２へ送られる。さらに、油分離器３７は、アキュムレータ２８の冷媒流入側と冷媒配管４１ｃを介して接続されており、冷媒から分離された冷凍機油１０がアキュムレータ２８へ送られる。冷媒配管４１ｃには、油分離器３７からの冷凍機油１０を減圧するためのキャピラリーチューブ４０が設けられている。なお、冷媒配管４１ｃには、キャピラリーチューブ４０の代わりに減圧弁（図示せず）が設けられてもよい。上述のように油分離器３７は、冷媒回路１００において相対的に高圧の冷媒が流れる高圧回路部１００Ａに接続されている。圧縮機２１の冷媒吸入側は、アキュムレータ２８の冷媒流出側と吸入管４２を介して接続されている。このように圧縮機２１は、冷媒が充填された冷媒回路１００に接続されている。また、圧縮機２１の内部には、図１に示すように、摺動部分（図示せず）を潤滑する潤滑油としての冷凍機油１０が貯留されている。
【００１７】
四方弁２２は、冷媒の流れる方向を切り換えるための切換弁であり、４つのポートａ、ｂ、ｃ、ｄを有している。ポートａは、上述したように圧縮機２１の冷媒吐出側に吐出管４１ａで接続されている。ポートｂは、室外熱交換器２３の一方の冷媒出入口に冷媒配管４３で接続されている。ポートｃは、アキュムレータ２８の冷媒流入側、すなわち冷媒配管４１ｃの下流側に冷媒配管４６を介して接続されている。そして、ポートｄは、閉鎖弁２６に室外機ガス管４５で接続されている。
【００１８】
冷媒配管４６には、冷媒中から水分または酸素の少なくとも一方を除去するための除去部３８が設けられている。また、冷媒配管４６には、除去部３８を迂回して冷媒を流すバイパス配管４７が、除去部３８の上流側と下流側とを連結して設けられている。除去部３８は、冷媒回路１００において相対的に低圧の冷媒が流れる低圧回路部１００Ｂに接続されており、アキュムレータ２８の冷媒吸入側に配置されている。バイパス配管４７と冷媒配管４６との接続部分には、流路切換部材としての切換弁４８が設けられている。切換弁４８によって、四方弁２２のポートｃからの冷媒が、除去部３８へ向かう流れと、除去部３８を迂回しバイパス配管４７へ向かう流れとの二方へ切り換えられる。切換弁４８は、後述する制御部としての室外機制御回路２００によって切換動作が制御される。
【００１９】
室外熱交換器２３は、室外機２の内部に取り込まれた外気を、冷媒と後述する室外ファン２７による送風によって熱交換させる。室外熱交換器２３の一方の冷媒出入口は、上述のように四方弁２２のポートｂに冷媒配管４３で接続されており、他方の冷媒出入口が室外機液管４４を介して閉鎖弁２５に接続されている。
【００２０】
室外膨張弁２４は、室外機液管４４に設けられている。室外膨張弁２４は、電子膨張弁であり、その開度が調整されることにより、室外熱交換器２３に流入する冷媒量、または、室外熱交換器２３から流出する冷媒量を調整する。室外膨張弁２４の開度は、冷凍サイクル装置１が冷房運転を行っている場合に全開とされる。また、冷凍サイクル装置１が暖房運転を行っている場合は、後述する吐出温度センサ３３が検出した圧縮機２１の吐出温度に応じて、室外膨張弁２４の開度を制御することにより、冷媒の吐出温度が、圧縮機２１の使用上の上限値を超えないように調整される。
【００２１】
室外ファン２７は、樹脂材で形成されており、室外熱交換器２３の近傍に配置されている。室外ファン２７は、ファンモータ（図示せず）によって回転されることで、吸込口（図示せず）から室外機２の内部へ外気を取り込み、室外熱交換器２３において冷媒と熱交換した外気を、吹出口（図示せず）から室外機２の外部へ放出する。
【００２２】
上述のように、アキュムレータ２８の冷媒流入側は四方弁２２のポートｃに冷媒配管４６を介して接続されるとともに、アキュムレータ２８の冷媒流出側が圧縮機２１の冷媒吸入側に吸入管４２を介して接続されている。このように、アキュムレータ２８は、冷媒回路１００と圧縮機２１とに接続されている。アキュムレータ２８は、冷媒配管４６からアキュムレータ２８の内部に流入した冷媒をガス冷媒と液冷媒とに分離してガス冷媒を圧縮機２１に吸入させる。また、アキュムレータ２８は、圧縮機２１から冷媒回路１００を経て流入した冷凍機油１０を、油戻し穴３０ａを通して液冷媒と共に吸引し、ガス冷媒と共に液冷媒及び冷凍機油１０を圧縮機２１へ戻す。
【００２３】
また、室外機２は、上述した構成に加えて、各種のセンサを有している。図１に示すように、吐出管４１には、圧縮機２１から吐出される冷媒の圧力である吐出圧力を検出する吐出圧力センサ３１と、圧縮機２１から吐出される冷媒の温度を検出する吐出温度センサ３３が設けられている。冷媒配管４６におけるアキュムレータ２８の冷媒流入口の近傍には、圧縮機２１に吸入される冷媒の圧力を検出する吸入圧力センサ３２と、圧縮機２１に吸入される冷媒の温度を検出する吸入温度センサ３４とが設けられている。
【００２４】
室外機液管４４における室外熱交換器２３と室外膨張弁２４との間には、室外熱交換器２３に流入する冷媒の温度、または室外熱交換器２３から流出する冷媒の温度を検出するための熱交温度センサ３５が設けられている。そして、室外機２の吸込口（図示せず）の近傍には、室外機２の内部に流入する外気の温度、すなわち外気温度を検出する外気温度センサ３６が設けられている。
【００２５】
また、室外機２は、制御部としての室外機制御回路２００を備えている。室外機制御回路２００は、室外機２の電装品箱（図示せず）に格納されている制御基板に搭載されている。室外機制御回路２００は、室外機２の各種センサが検出した検出結果及び制御信号に基づいて、圧縮機２１及び室外ファン２７の駆動制御を行う。また、室外機制御回路２００は、室外機２の各種センサが検出した検出結果及び制御信号に基づいて、四方弁２２の切り換え制御を行うと共に、室外膨張弁２４の開度を調整する。
【００２６】
次に、室内機５について説明する。室内機５は、室内熱交換器５１と、室内膨張弁５２と、分岐した液管８の他端が接続された液管接続部５３と、分岐したガス管９の他端が接続されたガス管接続部５４と、室内ファン５５と、を備えている。そして、室内ファン５５を除くこれら各部は、後述する各冷媒配管を介して相互に接続されて、冷媒回路１００の一部をなす室内機冷媒回路５０を構成している。
【００２７】
室内熱交換器５１は、吸込口（図示せず）から室内機５の内部に取り込まれた室内空気を、冷媒と後述する室内ファン５５による送風によって熱交換させる。室内熱交換器５１は、一方の冷媒出入口と液管接続部５３が室内機液管７１で接続されており、他方の冷媒出入口とガス管接続部５４が室内機ガス管７２で接続されている。室内熱交換器５１は、室内機５が冷房運転を行う場合に蒸発器として機能し、室内機５が暖房運転を行う場合に凝縮器として機能する。
【００２８】
室内膨張弁５２は、室内機液管７１に設けられている。室内膨張弁５２は、電子膨張弁であり、室内熱交換器５１が蒸発器として機能する場合、すなわち室内機５が冷房運転を行う場合、室内熱交換器５１の冷媒出口（ガス管接続部５４側）での冷媒過熱度が目標冷媒過熱度となるように調整される。ここで、目標冷媒過熱度とは、室内機５で十分な冷房能力が発揮されるための冷媒過熱度である。また、室内膨張弁５２は、室内熱交換器５１が凝縮器として機能する場合、すなわち室内機５が暖房運転を行う場合、室内熱交換器５１の冷媒出口（液管接続部５３側）での冷媒過冷却度が平均冷媒過冷却度となるように調整される。
【００２９】
室内ファン５５は、樹脂材で形成されており、室内熱交換器５１の近傍に配置されている。室内ファン５５は、ファンモータ（図示せず）によって回転されることで、吸込口（図示せず）から室内機５の内に室内空気を取り込み、室内熱交換器５１において冷媒と熱交換した室内空気を吹出口（図示せず）から室内へ供給する。
【００３０】
上述した構成に加えて、室内機５には各種のセンサが設けられている。室内機液管７１における室内熱交換器５１と室内膨張弁５２との間には、室内熱交換器５１に流入、または室内熱交換器５１から流出する冷媒の温度を検出する液側温度センサ６１が設けられている。室内機ガス管７２には、室内熱交換器５１から流出、または室内熱交換器５１に流入する冷媒の温度を検出するガス側温度センサ６２が設けられている。室内機５の吸込口（図示せず）の近傍には、室内機５の内部に流入する室内空気の温度、すなわち吸込温度を検出する吸込温度センサ６３が設けられている。室内機５の吹出口（図示せず）の近傍には、室内熱交換器５１で冷媒と熱交換を行って室内機５から室内に放出される空気の温度、すなわち吹出温度を検出する吹出温度センサ６４が設けられている。
【００３１】
また、室内機５は、室内機制御回路５００を備えている。室内機制御回路５００は、室内機５の電装品箱（図示せず）に格納された制御基板に搭載されている。室内機制御回路５００は、室内機５の各種センサが検出した検出結果やリモコン及び室外機２から送信された信号に基づいて、室内膨張弁５２の開度調整や室内ファン５５の駆動制御を行う。なお、冷凍サイクル装置１の制御回路は、上述の室外機制御回路２００と室内機制御回路５００とによって構成される。
【００３２】
（冷凍サイクル装置の動作）
次に、本実施形態における冷凍サイクル装置１の空調運転時の冷媒回路１００における冷媒の流れや各部の動作について、図１を用いて説明する。以下、室内機５が暖房運転を行う場合について説明し、冷房／除霜運転を行う場合については詳細な説明を省略する。また、図１における矢印は、暖房運転時の冷媒の流れを示している。
【００３３】
図１に示すように、室内機５が暖房運転を行う場合、室外機制御回路２００は、四方弁２２を図１中に実線で示す状態、すなわち、四方弁２２のポートａとポートｄを連通させ、ポートｂとポートｃを連通させるように切り換える。これにより、冷媒回路１００が、室外熱交換器２３が蒸発器として機能するとともに室内熱交換器５１ｃが凝縮器として機能する暖房サイクルとなる。
【００３４】
圧縮機２１から吐出された高圧の冷媒は、吐出管４１を流れて四方弁２２に流入し、四方弁２２から室外機ガス管４５、閉鎖弁２６、ガス管９、ガス管接続部５４の順に流れて室内機５に流入する。室内機５に流入した冷媒は、室内機ガス管７２を流れて室内熱交換器５１に流入し、室内ファン５５の回転によって室内機５の内部に取り込まれた室内空気と熱交換を行って凝縮する。このように、室内熱交換器５１が凝縮器として機能し、室内熱交換器５１で冷媒と熱交換を行って加熱された室内空気が吹出口（図示せず）から室内に吹き出されることによって、室内機５が設置された室内の暖房が行われる。
【００３５】
室内熱交換器５１から流出した冷媒は室内機液管７１を流れ、室内膨張弁５２を通過して減圧される。減圧された冷媒は、室内機液管７１を流れて液管接続部５３を介して液管８に流入する。
【００３６】
液管８を流れる冷媒は、閉鎖弁２５を介して室外機２に流入する。室外機２に流入した冷媒は、室外機液管４４を流れ、吐出温度センサ３３で検出した圧縮機２１の吐出温度に応じて開度が調整された室外膨張弁２４を通過するときに更に減圧される。室外機液管４４から室外熱交換器２３に流入した冷媒は、室外ファン２７の回転によって室外機２の内部に取り込まれた外気と熱交換を行って蒸発する。室外熱交換器２３から流出した冷媒は、冷媒配管４３、四方弁２２、冷媒配管４６、アキュムレータ２８、吸入管４２の順に流れ、圧縮機２１に吸入されて再び圧縮される。
【００３７】
なお、室内機５が冷房／除霜運転を行う場合、ＣＰＵ２１０は、四方弁２２を図１中に破線で示す状態、すなわち、四方弁２２のポートａとポートｂとを連通させ、ポートｃとポートｄとを連通させるように切り換える。これにより、冷媒回路１００は、室外熱交換器２３が凝縮器として機能すると共に室内熱交換器５１が蒸発器として機能する冷房サイクルとなる。
【００３８】
［冷凍サイクル装置の特徴的な構成］
次に、実施例の冷凍サイクル装置１の室外機２の特徴的な構成について説明する。冷凍サイクル装置１で用いられる混合冷媒は、上述したような低ＧＷＰ冷媒を２０重量％以上含む混合冷媒であり、高温環境下での安定性が低く、高温環境下で分解されたときや、冷媒回路１００に残留する水分や酸素と反応することで酸化、分解を起こしたときに、混合冷媒から酸が発生するおそれがある。また、圧縮機２１から混合冷媒が吐出される際、圧縮機２１内の冷凍機油１０は、圧縮機２１から混合冷媒と共に流出する傾向がある。
【００３９】
そこで、本実施例の冷凍サイクル装置１の冷媒回路１００は、上述したように、冷媒回路１００の液管８における圧縮機２１と閉鎖弁２５との間に配置されて混合冷媒中から水分または酸素の少なくとも一方を除去する除去部３８を備えている（図１参照）。また、実施例における除去部３８は、冷媒回路１００における低圧回路部１００Ｂに接続されている。
【００４０】
また、冷凍サイクル装置１は、冷媒回路１００における高圧回路部１００Ａに接続されて圧縮機２１から吐出された混合冷媒中から冷凍機油１０を分離する油分離器３７を備える。油分離器３７を備えることにより、冷媒回路１００を循環する冷媒に含まれる冷凍機油１０（以下、油分とも称する。）を除去し、油分が除去された冷媒中から、水分または酸素を除去するように構成することで、必要となる乾燥剤や脱酸素剤の量が抑えられるので、除去部３８の体積を小さくすることができる。
【００４１】
除去部３８は、除去剤を有している。除去剤は、水分を除去する乾燥剤または酸素を除去する脱酸素剤である。１つの除去剤は、乾燥剤及び脱酸素剤の両方であってもよい。すなわち、除去剤は、脱酸素剤及び乾燥剤の少なくとも一方を含む。脱酸素剤としては、例えば、鉄粉等が用いられる。乾燥剤としては、例えば、シリカゲル、ゼオライト等が用いられる。また、低圧回路部１００Ｂには、複数の除去部３８が独立して配置されてもよく、乾燥剤を有する除去部３８と、脱酸素剤を有する除去部３８との個数が限定されるものではない。
【００４２】
ここで、冷凍サイクル装置１全体の大きさ（システムサイズ）に応じて除去部３７の体積（脱酸素剤または乾燥剤の量）が設定される理由を説明する。冷凍サイクル装置１の冷凍能力と、冷凍サイクル装置１のシステムサイズと、圧縮機２１の大きさとの間には、相関性がある。
冷凍サイクル装置１のシステムサイズは、冷凍サイクル装置１において室内機２と室外機５とを接続するための接続配管（液管８、ガス管９）の最大長さ（配管長）に依存する。このため、冷凍サイクル装置１の冷凍能力が大きい場合には、接続配管の最大長さも長くなり、接続配管内における容積（配管の容積）が大きい程、接続配管内に空気中の酸素や水分が侵入するおそれが高まる傾向にある。
【００４３】
すなわち、水分または酸素を除去する除去部３８を、冷凍サイクル装置１のシステムサイズに応じて大型化することで、冷媒の分解による酸の発生が抑えられることが発明者により検証された。
【００４４】
ここで、除去剤の体積を設定するためのシステムサイズの具体的な数値としては、例えば、冷媒回路１００の配管の管内容積［ｃｃ］または管内表面積［ｍ２］が用いられる。このようなシステムサイズに関連する数値に応じて、除去剤の体積［ｍ３］が設定される。例えば、管内容積が１００００［ｃｃ］以下のときに、除去剤の体積が、１００［ｃｃ］に設定される。
【００４５】
［冷媒中の水分または酸素の除去］
上述の冷媒回路１００を冷媒が循環する際、油分離器３７によって、圧縮機２１からの冷媒の流れの上流側において、圧縮機２１から吐出された混合冷媒中から冷凍機油１０を分離し、除去部３８によって、圧縮機２１へ送られる混合冷媒中から酸素または水分を除去する。このように、圧縮機２１から吐出された冷媒中から冷凍機油１０を除去することで、冷凍機油１０が除去部３８に付着することが避けられるので、除去部３８によって冷媒中の水分を効率的に除去することが可能になる。冷凍機油１０が除去部３８の除去剤の表面に付着すると、除去剤の水分や酸素を除去する能力が低下する。例えば、乾燥剤の表面に冷凍機油１０が付着すると、水分を吸着させることが可能な表面積が小さくなるため、冷媒中の水分を効率的に除去することができない。また、圧縮機２１の冷媒吸入側に除去部３８が配置されることで、圧縮機２１へ送られる冷媒中の水分を除去することができる。これにより、冷媒が高温になる圧縮機２１内において、冷媒中の水分や酸素によって冷媒に酸化や分解が起こることが抑えられる。
【００４６】
また、冷凍サイクル装置１の室外機制御回路２００は、圧縮機２１の運転開始時に除去部３８へ混合冷媒を流し、除去部３８へ混合冷媒を所定時間流した後に混合冷媒がバイパス配管４７へ流れるように切換弁４８を制御する。このため、冷凍サイクル装置１の最初の起動時に、冷媒回路１００内に残留する水分または酸素を除去することが可能になり、水分または酸素が除去された後に除去部３８を冷媒が通過することに伴う冷媒の圧力損失を抑えることができる。除去部３８は、主に、冷凍サイクル装置１を設置した後に冷凍サイクル装置１が最初に使用される際に、製造時や設置時の環境の影響で使用する前から冷媒回路１００内に残留する水分または酸素を除去するために使用される。ところが、一度水分を吸着させた乾燥剤は、外気温の影響による温度上昇によって水分を放出することがある。そのため、冷凍サイクル装置１の室外機制御回路２００は、圧縮機２１の運転を開始する度に除去部３８へ所定時間混合冷媒を流すようにしている。したがって、冷凍サイクル装置１は、冷媒回路１００内から水分や酸素を除去するために必要なタイミングで除去部３８を使用し、その後の圧縮機２１の運転時に、除去部３８によって冷媒の圧力損失を招くことが避けられる。
【００４７】
上述した実施例では、除去部３８が冷媒回路１００の低圧回路部１００Ｂに設けられたが、低圧回路部１００Ｂに配置される構成に限定されるものではない。図２は、変形例の冷凍サイクル装置１全体を示す模式図である。変形例は、冷媒回路１００における除去部３８の配置が実施例と異なる。説明の便宜上、変形例においても、実施例と同一の構成部材には、実施例と同一の符号を付けて説明を省略する。図２に示すように、変形例における冷媒回路１００には、液管８における圧縮機２１と閉鎖弁２５との間、及びガス管９における圧縮機２１と閉鎖弁２６との間に、除去部３８がそれぞれ配置されている。
【００４８】
なお、除去部３８は、室内機２と室外機５とを接続する液管８、ガス管９にそれぞれ設けられた２つの閉鎖弁２５、２６の少なくとも一方と、圧縮機２１との間に配置されていればよい。除去部３８は、主に、冷凍サイクル装置１を設置した後に冷凍サイクル装置１が最初に使用される際に、冷媒回路１００内に残留する水分または酸素を除去するために使用される。また、除去部３８は、油分離器３７によって油分が除去されて、アキュムレータ２８の上流側を流れる冷媒から水分または酸素を除去することが好ましい。また、冷房時と暖房時とで冷媒が循環する向きが逆になるので、冷凍サイクル装置１の設置後に最初に使用される運転が、冷房であるか暖房であるかによって除去部３８の配置が好ましい位置が変わる。これらを踏まえると、冷房時と暖房時との両方において、冷媒から水分または酸素を効果的に除去するために、図２に示すように、２つの除去部３８が配置される構成が好ましく、冷凍サイクル装置１の設置後の最初の運転が冷房と暖房のいずれである場合にも対応することが可能になる。
【００４９】
上述のように冷凍サイクル装置１は、冷媒回路１００における圧縮機２１と、閉鎖弁２５、２６のそれぞれとの間に配置され、混合冷媒中から水分または酸素の少なくとも一方を除去する除去部３８と、を備える。これにより、冷媒回路１００内を循環して圧縮機２１へ流入する混合冷媒に含まれる水分または酸素が低減されるので、圧縮機２１内における混合冷媒が酸化や分解を起こすことを抑制することができる。したがって、混合冷媒から酸が発生することが抑制され、酸によって冷凍サイクル装置１が損傷することを抑制できる。
【００５０】
また、冷凍サイクル装置１は、冷媒回路１００において相対的に高圧の混合冷媒が流れる高圧回路部１００Ａに接続され、圧縮機２１から吐出された混合冷媒中から冷凍機油１０を分離する油分離器３７を備える。このように、圧縮機２１からの冷媒の流れの上流側で、油分離器３７によって冷媒中に含まれる冷凍機油１０が除去されると共に、冷凍機油１０が除去された冷媒中から、除去部３８によって水分や酸素を除去することができる。このため、油分離器３７から冷凍機油１０を圧縮機２１内へ戻すことで、圧縮機２１内に適切な量の冷凍機油１０を常に確保するが可能になり、圧縮機２１内の摺動部分が冷凍機油１０で適正に潤滑されるので、摺動部分等の高温部分で冷媒が酸化や分解を起こすことを抑制できる。加えて、圧縮機２１内へ送られる冷媒に水分や酸素が含まれることが抑えられるので、圧縮機２１内における混合冷媒が酸化や分解を起こすことを抑制することができる。したがって、混合冷媒から酸が発生することが抑制され、酸によって冷凍サイクル装置１が損傷することを抑制できる。
【００５１】
また、冷凍サイクル装置１における冷媒回路１００は、除去部３８が設けられた冷媒配管４６に、除去部３８を迂回して混合冷媒を流すバイパス配管４７が設けられている。これにより、除去部３８を使用しない場合、バイパス配管４７へ冷媒を流すことにより、除去部３８の流動抵抗に伴う冷媒の圧力損失を抑えることができる。
【００５２】
また、冷凍サイクル装置１は、冷媒の流れを除去部３８へ向かう流れとバイパス配管４７へ向かう流れとに切り換える切換弁４８と、切換弁４８の切換動作を制御する室外機制御回路２００と、備えており、室外機制御回路２００は、圧縮機２１の運転開始時に除去部３８へ混合冷媒を流し、除去部３８へ混合冷媒を所定時間流した後に混合冷媒がバイパス配管４７へ流れるように切換弁４８を制御する。これにより、除去部３８を必要なタイミングで使用し、その後の圧縮機２１の運転時に、除去部３８によって冷媒の圧力損失を招くことを避けることができる。
【符号の説明】
【００５３】
１  冷凍サイクル装置
２  室内機
５  室外機
８  液管（接続配管）
９  ガス管（接続配管）
１０  冷凍機油（潤滑油）
２１  圧縮機
２５、２６  閉鎖弁
３７  油分離器
３８  除去部
４６  冷媒配管（配管）
４７  バイパス配管
４８  切換弁（流路切換部材）
１００  冷媒回路
１００Ａ  高圧回路部
１００Ｂ  低圧回路部
２００  室外機制御回路（制御部）
【図１】
2020051630.tif 000003
【図２】
2020051630.tif 000004